(57)【要約】この新技術の特徴はＣＤカードを使用することにあり、ここにあらかじめアップデートしたい情報（イメージ、サウンド、エフェクトなど）を記憶させてテンプレートのように用い、インターネット接続されているコンピューターのＣＤ−ＲＯＭドライブにこのＣＤカードを入れると自動的にインターネットを通じて必要な情報がアップデートされる。コンピューターがインターネット・ネットワークに接続されていることで、ネット上で確認できるデータをアップデートすることができる。【特許請求の範囲】
【請求項１】
ＣＤカードからダイレクトにインターネットにアクセスし、情報（教育、文化、広告、商取引など）を得るという新しい方法は、データをアップデートするための呼び出し機能として利用することができる。この発明の技術的な向上点は、ＣＤカードをアクセスキー、またはテンプレートとして使用し、特定のデータにダイレクトにアクセスする点にある。
【発明の詳細な説明】
【技術分野】
【０００１】
この新技術は、ＣＤカードに収められた情報を、インターネットを通じたアップデート・プロセスにおける技術分野での発明であるといえる。
【背景技術】
【０００２】
現在、インターネット上の情報にアクセスするためにはさまざまな方法が用いられている。
【発明の開示】
【０００３】
この新技術の特徴はＣＤカードを使用することにあり、ここにあらかじめアップデートしたい情報（イメージ、サウンド、エフェクトなど）を記憶させてテンプレートのように用い、インターネット接続されているコンピューターのＣＤ−ＲＯＭドライブにこのＣＤカードを入れると自動的にインターネットを通じて必要な情報がアップデートされる。コンピューターがインターネット・ネットワークに接続されていることで、ネット上で確認できるデータをアップデートすることができる。
【０００４】
この新技術は、ＣＤ−Ｒｏｏｍタイプのカードを用いるが、通常のものよりサイズも容量も小さく、必要なデータに書き込まれた情報ファイル（サウンド、テキスト、エフェクトなど）が収まるようにデザインされている。アクティブ・ゾーンでは、インターネットを通じてハードディスクに収められた新たなデータを呼び出し、アップデートすることができる。
【実施例】
【０００５】
この新技術の使用例をここにいくつか挙げるが、このほかにも多くの利用法が考えられる。
【０００６】
（例１）
ＣＤカードにはアート・ギャラリーの情報が収められている。この中で、私たちはギャラリーの一部屋を見ており、この部屋は３６０度回転させることができる。私たちは部屋の中央に立ち、手（カーソル）を絵に近づけると絵の画像が拡大し、絵に関する情報が現れる。この情報はカードに記憶されており、変更することはできないが、私たちがインターネットに接続していれば、既に売却された絵の上に他の絵が置かれて現れるため、売却された絵はこのギャラリーに表示されなくなる。コンピューターのＣＤドライブにカードを入れた時にインターネットに接続していれば、自動的に変更が行われるため、私たちは絵が変わったことに気付くことはない。ただし、インターネットに接続されていない場合は、ギャラリーのアップデートはできない。
【手続補正書】
【提出日】平成17年3月30日(2005.3.30)
【手続補正１】
【補正対象書類名】明細書
【補正対象項目名】全文
【補正方法】変更
【補正の内容】
【書類名】明細書
【特許請求の範囲】
【請求項１】インターネットを通じ、デジタル・ハードウェアのコンテンツを確認しながらアップデートする新技術であって、ＣＤ−ＲＯＭ、ＣＤ−ＣＡＲＤ、ＭＩＮＩ  ＣＤ−Ｒｏｍ、ＤＶＤ−Ｒｏｍ、ＤＶＤ−ＣＡＲＤを用い、ここに必要なプログラムを用いてマルチメディアのコンテンツを記憶させ、このコンテンツはテンプレートの形で記憶され、固定ゾーン（読み出し専用でアップデートされない）とアクティブ・ゾーンまたはリンク・ポイント（書き込み可能でアップデートされる）が併存しており、固定ゾーンにはＵＲＬへのオートコール（自動的に実行できる）といった必要なプログラムが挿入され、アクティブ・ゾーンのコンテンツのうち、インターネット・サーバまたはホスティング（Ｈｏｓｔｉｎｇ）で変更されたものをＩＰを通じて入れ替え、こうして、インターネットに接続された情報機器の読み込みデバイスにデジタル・ハードウェアが挿入されると、アップデートされたデータが画面に現れることになるようにした方法。
【請求項２】請求項１１に従う、インターネットを通じ、デジタル・ハードウェアのコンテンツを確認しながらアップデートする技術において、ハードウェアが完全に自立しており、アップデートされたデータを見るためにプログラムをインストールする必要は一切ないことを特徴とし、テンプレートはＦＴＰを通じてコンテンツをアップデートするシステムを用いて既にプログラムされており、インターネット上の特定のアドレスにリンクされた、ロカリゼーション機能が含まれたアクティブ・ゾーン構造を持ち、このためナビゲートする必要がなく、インターネットへの接続が確立すると、このアドレスからＦＴＰを通じて自動的に、適切なフォーマットで、ビジュアリゼーションの対象となるリファレンスのファイルが表示されるようにした方法。
【請求項３】請求項１または２に従う、インターネットを通じ、デジタル・ハードウェアのコンテンツを確認しながらアップデートする方法において、インターネットへのアクセス環境のあるユーザーのコンピューターにデジタル・ハードウェアを挿入するとすぐに実行され、ＦＴＰを通じてテンプレート上にインターネット・サーバ上の、ビジュアリゼーションの対象となるさまざまなリファレンスをアップデートしたファイルを表示し、インターネット上のデータを見るためにこれを保存する必要はなく、実行されると同時にユーザーはそのデータを見ることができるようにした方法。
【発明の詳細な説明】
【技術分野】
【０００１】
この新技術は、ＣＤ−ＲＯＭ、ＣＤ−ＣＡＲＤ、ＭＩＮＩ  ＣＤ−Ｒｏｍ、ＤＶＤ−Ｒｏｍ、ＤＶＤ−ＣＡＲＤなどのデジタル・ハードウェアに収められた情報を、インターネットを通じたアップデート・プロセスにおける技術分野での発明である。
【背景技術】
【０００２】
今日、インターネット上の情報へのアクセスにはさまざまな方法が用いられているが、前述のシステムは、ナビゲーターを使ってＵＲＬに接続し、書きかえ可能な光磁気ディスクまたは  デバイスを用いてネット上のデータにアクセスするシステムである。
【０００３】
これまでに知られるシステムでは、ＲＯＭ（チップ上に書き込まれた小さな配線）、ＰＲＯＭ（トランジスタのマトリクス。個々のトランジスタを選択して電子的に焼き込むようプログラムすることができる）、ＥＰＲＯＭ（プログラム可能、再利用可能）等のメモリが使用されている。
【０００４】
これら従来のシステムではすべて、データをアップデートするためにはあらかじめダウンロードしたプログラムかソフトウェアをインストールする必要があった。
【発明の開示】
【０００５】
しかし、この発明の特徴はデジタルハードウェアを使用することにあり、ここにあらかじめイメージ、サウンド、エフェクトなどを記憶させてテンプレートのように用い、残りのゾーンが、対応する読み込みデバイスに前述のハードウェアを挿入した瞬間から自動的に実行される。この時、読み込みデバイスはインターネットに接続されており、ネットにリンクされることで私たちが確認することができる情報がアップデートされる。デジタル・ハードウェアを操作したり、取り外したりする必要はなく、また、プログラムをインストールする必要もないため、アクセスや特定データをダウンロードする際にスピードが遅くなったりするのを避けることができる。ダウンロードは瞬時に行われるため、ユーザーが待つ必要もなくなる。
【０００６】
以上から、下記の発明は、最先端技術として、該当するオペレーション・システム以外に、プログラムやアプリケーション、他のシステムをインストールする必要なしに、デジタル・ハードウェアに収められたデータをビジュアライズしながらアップデートするという新たな処理を提案することができる。
【０００７】
「インターネットを通じ、デジタル・ハードウェアのコンテンツを確認しながらアップデートする新技術」は、デジタル・ハードウェアによって成り立つ。このハードウェアは、紹介しようとする製品、サービス、データの必要性に適したビジュアリゼーション・テンプレートを内蔵しており、これは、具体的なディメンションとロカリゼーションを持つアクティブ・ゾーンで構成され、インターネット上のアドレスにリンクしている。接続が確立すると自動的にインターネット・サーバ上のアップデートされたファイルと、ビジュアライズの対象となるリファレンスが接続される。こうして、デジタル・ハードウェアのビジュアライゼーション・テンプレートに関連付けられた処理アプリケーションが、イメージやサウンド処理のための既存のプログラムにより作成されたアプリケーションによって実行され、ユーザーはバーチャル・ハードウェアを好きなように使用し、興味のある製品についてより多くの情報を得ることができるようになる。
【０００８】
「インターネットを通じ、デジタル・ハードウェアのコンテンツを確認しながらアップデートする新技術」は、インターネットへのアクセス環境を持つユーザーの（選択したデジタル・ハードウェアに対応により異なる）読み込みデバイスに、製品のビジュアリゼーション・テンプレートを格納させたデジタル・ハードウェアを挿入し、自動的にＩＰを通じて、インターネット・サーバにあるビジュアライズの対象となるさまざまなリファレンスをアップデートしつつ、バーチャル・イメージで確認しながらテンプレート上のファイルデータの入れ替えを開始する。
【０００９】
この発明の対象となるプロセスは、つまり、データを保存するためのメモリー・スペースを必要とせず、ユーザーはデータをリアルタイムで確認ことができる。
【実施例】
【００１０】
「インターネットを通じ、デジタル・ハードウェアのコンテンツを確認しながらアップデートする新技術」に適した実行例として、選択したデジタル・ハードウェアのタイプに対応する処理アプリケーションを使ったマルチメディア・デザインＣＤを使い、このハードウェアから、アート・ギャラリーのコンテンツをビジュアライズする様子を、段階を追って見ていこう：
１．アート・ギャラリーのプロモーターの必要に応じたイメージを用意するために、写真・ビデオを撮影する。
２．アート・ギャラリーのテンプレートをデザインし、デジタル・ハードウェアにインプットする。テンプレートは三階建てで、各階はそれぞれにルームに分かれている。見学は、まず階とルームを選択し、各ルームは３６０度回転させることができる。テンプレートは、ロケーションフリーの物理的なスペースで、具体的なディメンションを持ち、ここでインターネット・サーバ上にある絵のデータが呼び出され、表示される。ユーザーは、選択したデジタル・ハードウェアを読み込みデバイスに挿入し、ギャラリーのバーチャル・イメージをビジュアライズしたうえで、マウスを使って絵を選択し、瞬時に画像を大きくしたり、それぞれの絵の大きさ、値段、作者、タイトル、制作日などの情報を得ることができる。
３．市販されている既存のさまざまなプログラム（Ｆｒｅｅ−Ｈａｎｄｓ、  Ｐｈｏｔｏｓｈｏｐ、  Ｆｌａｓｈ、  Ｄｒｅａｍ  ｗｅａｖｅｒ、  Ｓｗｉｆｔ−３Ｄ、  Ｃｕｔｅ  Ｆｔｐなど）を用いてイメージ、サウンド、エフェクトなどを組み合わせることができる。
４．絵のファイルをインターネット・サーバにインプットする
５．アート・ギャラリーのテンプレートを、プロジェクトに適したデジタル・ハードウェアに挿入する。ここには、選択したハードウェアのタイプに適した読み込みデバイスに挿入することで自動的に作動し、ＩＰによるインターネット・サーバへの接続とコンテンツのビジュアリゼーションが可能となり、絵のデータのアップデートを開始する機能も含まれる。
【００１１】
こうして、デジタル・ハードウェアにデジタル・デザインをインプットしたら、次にインターネットを通じてデータがアップデートされるよう処理アプリケーションをインプットする。これらのハードウェアはユーザーに配布され、インターネットに接続されていればいかなるコンピューターで使用することも可能となる。
【００１２】
デジタル・ハードウェア読み込みデバイスに挿入することにより、ユーザーはこのデジタル・ハードウェアを使用すればいつでも、アート・ギャラリーのバーチャル・イメージにアクセスすることができ、ここで、アップデートされた絵画のイメージを見ることができる。ここでは、サーバから絵のバーチャル・イメージが入れ替えられるため、新たな絵のバーチャル・イメージデータが、テンプレートにあらかじめ指定された場所、または物理的スペースに接続され、データが読み込まれ、売却済みの絵は消去され、新たに販売される絵が現れることになる。
【００１３】
つまり、アート・ギャラリーのプロモーターがインターネット・サーバ上のコンテンツをアップデートすれば、在庫の絵とユーザーが見る絵は常に一致することが保証されることになる。
【００１４】
上記は、この新技術から考えられる無数の応用のひとつに過ぎず、市場に存在するあらゆる製品に適用することができる。物理的スペースとのつながりが問われることもないため、例えば、書籍や雑誌などのコンテンツをアップデートすることも可能になる。
【００１５】
この分野におけるエキスパートに、この新技術の重要性および利点を理解していただくために、さらなる説明の必要性はないであろう。この製品の製造に使用される要素の、素材、形態、大きさ、配置、および処理の基盤となる技術は、新技術の本質におよばない限り、変更することも可能である。
【国際調査報告】
2005531839.tif 000002
2005531839.tif 000003
2005531839.tif 000004
2005531839.tif 000005